(57)【要約】【課題】自動販売機を広告の一部として利用するものでありながら、自動販売機の上に載置するだけで簡便に広告看板を設置できるようにすること。【解決手段】自動販売機の上面に位置される基台部１と、該基台部１に、側面視でＴ字形に直立する状態で設けられた支持フレーム部２と、前記フレーム部２に対して挿脱自在に設けられた平板状の看板本体３と、前記基台部１の裏面に設けられたマグネット４とからなる自動販売機用の広告看板、【選択図】図２
0003149372.tif 000002
【実用新案登録請求の範囲】
【請求項１】
自動販売機の上に載置する広告看板であって、
自動販売機の上面に位置される基台部１と、
該基台部１に、側面視でＴ字形に直立する状態で設けられた支持フレーム部２と、
前記フレーム部２に対して挿脱自在に設けられた平板状の看板本体３と、
前記基台部１の裏面に設けられたマグネット４とからなる、
ことを特徴とする自動販売機用の広告看板。
【請求項２】
前記フレーム部２は、支柱２Ａと、そのチャンネルの溝５Ｃが内側に向き、正面視で枠フレームを形成するチャンネル材５とから構成され、該枠フレームのチャンネル材５の上辺５Ａが、縦辺５Ｂに対してネジにより着脱可能に設けられ、前記チャンネル材５の溝５Ｃに前記看板本体３が上方から挿入設置できるように構成されていることを特徴とする請求項１に記載の自動販売機用の広告看板。
【請求項３】
前記支持フレーム部２が、前記基台部１に対して前記看板本体３の長手方向の水平軸心の枢支軸６より回動自在に枢支連結され、且つ、前記看板本体３に対する表裏方向の少なくとも一方向の所定圧以上の風圧に対して前記枢支軸６の周りに傾動し、所定圧以下の風力の下では前記支持フレーム部２を直立させる姿勢保持スプリング７が設けられていることを特徴とする請求項１又は請求項２に記載の自動販売機用の広告看板。
【考案の詳細な説明】
【技術分野】
【０００１】  本考案は、屋外設置される各種の目的の自動販売機用の広告看板に関する。
【背景技術】
【０００２】  昨今、たばこ、飲料水等が自動販売機で販売され、２４時間便利に利用できるようになった。
こうした自動販売機は、通常、店舗内の設置はあるが、屋外に設置されることが大半である。【０００３】  屋外設置の自動販売機に広告機能を持たせようという考えは、商業広告において有効な手段であり、既に、次のような技術も提案されている。
【特許文献１】特開平１１−１３４５４３。上載置広告装置。
【特許文献２】特開平１１−１３４５４４。上載置広告装置。
【特許文献３】実開平５−３０９８５。自動販売機。
【考案の開示】
【考案が解決しようとする課題】
【０００４】  上述した広告装置は、自動販売機を、広告手段として利用するという点で有用であるが、広告装置としてその構成が複雑であり、また、広告看板の取替えが簡単に行い得るものではなかった。【０００５】  本考案は、かかる問題に鑑み、自動販売機を広告の一部として利用するものでありながら、自動販売機の上に載置するだけで簡便に広告看板を設置できるようにすることを目的とする。
【課題を解決するための手段】
【０００６】  本考案にかかる自動販売機用の広告看板は、上記目的を達成するために、自動販売機の上に載置する広告看板であって、
自動販売機の上面に位置される基台部１と、
該基台部１に、側面視でＴ字形に直立する状態で設けられた支持フレーム部２と、
前記フレーム部２に対して挿脱自在に設けられた平板状の看板本体３と、
前記基台部１の裏面に設けられたマグネット４とからなる、
という手段を講じたものである。【０００７】  本考案において、自動販売機とは、たばこ、飲料水等、各種の諸品を販売できる自動販売機を対象とする。特に、この自動販売機は、その上部が磁性体（鋼性）で構成されていることが好ましいが、万一、磁性体でない場合でも、その上部に磁性体を容易に敷設可能な自動販売機であれば、本考案の対象となる。【０００８】  上記の看板本体３（意匠面）については、その素材は鋼板、アルミ板、樹脂板等適宜の素材のもが選択でき、単なる塗装による広告表示のほか、電飾（ＬＥＤ、ＥＬ）が施されるものも対象となる。
【考案の効果】
【０００９】  本考案によれば、平板状の基台部と、該基台部に、側面視でＴ字形に直立する状態で設けられた支持フレーム部と、前記フレーム部に対して挿脱自在に設けられた平板状の看板本体（意匠面）と、前記基台部の裏面に設けられたマグネットという簡単な構造によって、そのマグネットによって自動販売機の上部に強固に広告看板を固定でき、屋外設置（屋内でも問題はない）の自動販売機の上部空間を有効利用した広告を行うことができる利点がある。
【考案を実施するための最良の形態】
【００１０】  本考案は次のように実施されるの好ましい。
先ず、前記フレーム部２は、支柱２Ａと、そのチャンネルの溝５Ｃが内側に向き、正面視で枠フレームを形成するチャンネル材５とから構成され、該枠フレームのチャンネル材５の上辺５Ａが、縦辺５Ｂに対してネジにより着脱可能に設けられ、前記チャンネル材５の溝５Ｃに前記看板本体３が上方から挿入設置できるように構成されているのが好ましい。【００１１】  これによって、フレーム部２を簡単な構造で構成できると供にそのチャンネル材５の溝５Ｃを利用して看板本体３が上方から挿入できて、看板本体３の取替えが容易に行い得る利点がある。【００１２】  更に、前記支持フレーム部２が、前記基台部１に対して前記看板本体３の長手方向の水平軸心の枢支軸６より回動自在に枢支連結され、且つ、前記看板本体３に対する表裏方向の少なくとも一方向の所定圧以上の風圧に対して前記枢支軸６の周りに傾動し、所定圧以下の風圧の下では前記支持フレーム部２を直立させる姿勢保持スプリング７が設けられているのが好ましい。【００１３】  このように、支持フレーム部２と基台部１とを枢支連結し、姿勢保持スプリング７を設けることで、屋外設置で強風に晒されがちな設置条件下において、想定以上の強風の際には支持フレーム部２が前後方向（少なくとも一方向）に傾動できて、風圧を逃がすことが出来、マグネット４による吸着力でも十分に、確実に姿勢保持できて、看板が自動販売機の上から落下する虞を無くして、非常に安全である。
【実施例１】
【００１４】  本考案にかかる自動販売機用の広告看板の好適実施例を図面に基づいて以下詳述する。
図１に示すのは、本考案にかかる自動販売機用の広告看板を設置した状態の概略斜視図であり、図２は、広告看板の正面図、図３は、その側面図、図４は、その底面図である。【００１４】  この広告看板は、図１に示す如く、自動販売機の上に載置されるもので、図２から図４に示すように、自動販売機の上面に位置される基台部１と、該基台部１に、側面視でＴ字形に直立する状態で設けられた支持フレーム部２と、前記フレーム部２に対して挿脱自在に設けられた平板状の看板本体３と、前記基台部１の裏面に設けられたマグネット４とからなる。【００１５】  前記基台部１は、この実施例では、平面視矩形枠を形成するように、角パイプ（３０ｍｍ角で、正面視長さ９００ｍｍ、奥行き幅４００ｍｍ）を接合することで構成されている。勿論、この基台部１は、２本の角パイプを看板の幅に対応させた間隔で平行に配置し、そこに直立させる角パイプと、これを繋ぐ角パイプとによる略門形のフレーム構造で構成してもよい。上記角パイプは、軽量なアルミ材を用いるが、鋼材でもよい。【００１６】  前記支持フレーム部２は、やはり角パイプで構成され、ここでは、側面視でＴ字形に配置されているが、これは、Ｌ字形としても問題はない。この支持フレーム部２は、２本の直立の大型の支柱２Ａ（５０９ｍｍ角で高さ６００ｍｍ）とこれを繋ぐ二本の小型の横桟２Ｂ（３０ｍｍ角）とこれらの横桟２Ｂの中間部を上下に繋ぐ１本の小型の縦桟２Ｂ（３０ｍｍ角）と、更に、そのチャンネルの溝５Ｃが内側に向き、正面視で枠フレームを形成するチャンネル材５とから構成されている。【００１７】  前記チャンネル材５は、アルミ製で（正面視長さ９００ｍｍ、高さ６００ｍｍ、内寸６ｍｍ）であり、矩形枠を呈する。そして、該枠フレームのチャンネル材５の上辺５Ａが、縦辺５Ｂに対してネジにより着脱可能に設けられ、前記チャンネル材５の溝５Ｃに前記看板本体３が上方から挿入設置できるように構成されている。【００１８】  前記平板状の看板本体３は、ここでは、３ｍｍ厚のアルミ板で構成されており、ここに広告が表示（塗布）されるものであり、上述のように、前記チャンネル材５の溝５Ｃに上方から挿入設置される。【００１９】  前記マグネット４は、ここでは、シート状のマグネットであり、前記基台部１の角パイプの裏面に貼り付けられている。このマグネット４の敷設は、前記基台部１の角パイプの裏面の全面でなく、要所に貼付されているが、適宜の箇所にのみ貼付されるようにしてもよい。
【実施例２】
【００２０】  図５（正面図）及び図６（側面図）に基づいて説明する。ここでは、基台部１と、該基台部１に、側面視でＴ字形に直立する状態で設けられた支持フレーム部２と、前記フレーム部２に対して挿脱自在に設けられた平板状の看板本体３と、前記基台部１の裏面に設けられたマグネット４とからなる点において実施例１と変わらないが、前記基台部１と支持フレーム部２の構成材が異なる。【００２１】  この実施例では、基台部１は、一枚のスチール板（４００ｍｍＸ９００ｍｍ）で構成され、側面視で、前方から１００ｍｍの位置に１２Ｘ１２ｍｍ、高さ８００ｍｍの角パイプが立設されるという簡便な構造とされており、これに溝が内側に向いたコの字形の額縁８（６００ｍｍＸ８８０ｍｍ）が固定されている。【００２２】  この額縁８は、上辺８Ａが、縦辺８Ｂに対してビス留め可能に構成されており、この上辺８Ａを取り外すことで、看板本体３を挿脱自在としている。
そして、前記基台部１のスチール板の裏面に、シート状のマグネット４が貼付されている。このマグネット４は、スチール板の裏面の所要箇所に貼付されている。しかし、その全面に貼付されても良い。
尚、前記基台部１が平板状であるので、底面図は省略する。
【実施例３】
【００２３】  図７及び図８に示すように、ここでも、基台部１と、該基台部１に、側面視でＴ字形に直立する状態で設けられた支持フレーム部２と、前記フレーム部２に対して挿脱自在に設けられた平板状の看板本体３と、前記基台部１の裏面に設けられたマグネット４とからなる点において実施例１と変わらないが、前記基台部１と支持フレーム部２の連結構造が異なる。【００２４】  ここでは、前記支持フレーム部２が、前記基台部１に対して前記看板本体３の長手方向の水平軸心の枢支軸６（支持フレーム部２から突設され前記基台部１で回動自在に軸支）より回動自在に枢支連結され、且つ、前記看板本体３に対する表裏方向の所定圧以上の風圧に対して前記枢支軸６の周りに傾動し、所定圧以下の風力の下では前記支持フレーム部２を直立させる姿勢保持スプリング７が設けられているのである。【００２５】  ここでは、図８に示すとおり、二つの同じスプリング圧の姿勢保持スプリング７が、その附勢方向が逆向きとなるように（図８は、一側のみを示す）、前記支持フレーム部２と前記基台部１とに亘って敷設されており、風圧の作用がない状態では、前記支持フレーム部２は直立状態であり、一定圧以上の風圧が前後方向に作用した場合には、前記姿勢保持スプリング７を撓ませて支持フレーム部２（看板本体３）を枢支軸６の周りに傾動させ、風圧を逃がすことが出来るようにされている。【００２６】  尚、自動販売機の裏面側に建物、塀等の遮蔽物が存在し、裏面側からの風圧作用が無い場合には、前記姿勢保持スプリング７は、全面からの風圧に対して後ろ側に傾動でき、また、復帰させるものだけで十分であり、その姿勢保持スプリング７の前方への附勢は、ストッパー等で阻止する構造を採用すればよい。
【産業上の利用可能性】
【００２７】  本考案は、自動販売機用の広告看板として、自動販売機自体を改良する必要もなく、その上部に容易に設置できるものであるので、種々の自動販売機に対して適用可能であり、その適用範囲は広い。
【図面の簡単な説明】
【００２８】
【図１】本考案にかかる自動販売機用の広告看板の使用状態を示す全体の斜視図。
【図２】本考案にかかる実施例１の自動販売機用の広告看板の正面図。
【図３】本考案にかかる実施例１の自動販売機用の広告看板の側面図。
【図４】本考案にかかる実施例１の自動販売機用の広告看板の底面図。
【図５】本考案にかかる実施例２の自動販売機用の広告看板の正面図。
【図６】本考案かかる実施例１の自動販売機用の広告看板の側面図。
【図７】本考案にかかる実施例３の自動販売機用の広告看板の斜視図。
【図８】本考案にかかる実施例３の自動販売機用の広告看板の要部の拡大図。
【符号の説明】
【００２９】  １：基台部
２：支持フレーム部
２Ａ：支柱：
３：看板本体
４：マグネット
５：チャンネル材
５Ａ：上辺
５Ｂ：縦辺：
５Ｃ：チャンネルの溝
６：枢支軸
７：スプリング
【図１】
0003149372.tif 000003
【図２】
0003149372.tif 000004
【図３】
0003149372.tif 000005
【図４】
0003149372.tif 000006
【図５】
0003149372.tif 000007
【図６】
0003149372.tif 000008
【図７】
0003149372.tif 000009
【図８】
0003149372.tif 000010